(57)【要約】【課題】キーコードの変更操作用の内部機構が簡略化され、ハウジングに対するロータの回転拘束が２箇所で強固になされるサイドバー方式の可変コード型シリンダー錠を提供する。【解決手段】ロータ６に形成したタンブラ挿入孔８にタンブラプレート１１と可変タンブラ１４が並べて挿入されており、ロータ６の回転によってサイドバーホルダ１９の隆起部２１がハウジング１のサイドバーホルダ係入用凹部２に対面したとき、タンブラプレート１１の側面端部２６をバネ２５の付勢によってロータ６のサイドバーホルダ収容孔９に進入させ、これによって隆起部２１をサイドバーホルダ係入用凹部２に係入させて、タンブラプレート１１の係合部１３を可変タンブラ１４の被係合部１５から離脱させる。この離脱後に可変タンブラ１４を所要単位移動させてキーコードを変更する。【選択図】　図５
2004137689.tif 000002
【特許請求の範囲】
【請求項１】
筒形に形成され、内周面にサイドバーホルダ係入用凹部２とサイドバー係入用凹部５が形成されたハウジング１と、
前記ハウジング１に回転可能に挿入され、前面に開口する鍵孔７が軸方向に形成され、鍵孔７と交叉するタンブラ挿入孔８の一側にサイドバーホルダ収容孔９が形成され、他側にバネ収容孔１０が形成されたロータ６と、
前記タンブラ挿入孔８に摺動可能に挿入され、一方の側面にサイドバー係合凹部１２が形成され、他方の側面に係合部１３が形成されたタンブラプレート１１と、
前記タンブラ挿入孔８に摺動可能に挿入され、一方の面に前記係合部１３と係脱する鋸歯状の被係合部１５が形成され、中央部分に前記鍵孔７に連通させて鍵挿通溝１７が形成された可変タンブラ１４と、
前記バネ収容孔１０に収容され、可変タンブラ１４をハウジング１の内周面に向けて摺動付勢するバネ１８と、
前記サイドバーホルダ収容孔９に摺動可能に挿入され、中央部分にサイドバー収容孔２０が形成され、ロータ６を回転させたとき、一方の面に形成した隆起部２１が前記サイドバーホルダ係入用凹部２に係入するサイドバーホルダ１９と、
前記サイドバー収容孔２０に摺動可能に挿入され、先端部２３が前記サイドバー係入用凹部５に係入する方向に付勢され、ロータ６を回転させたとき、前記付勢とは反対方向に移動して基端部２４が前記サイドバー係合凹部１２に係入するサイドバー２２と、
タンブラプレート１１をサイドバーホルダ１９に向けて付勢し、ロータ６の回転によって前記隆起部２１が前記サイドバーホルダ係入用凹部２に対面したとき、タンブラプレート１１の側面端部２６を前記サイドバーホルダ収容孔９に進入させて、該隆起部２１をサイドバーホルダ係入用凹部２に係入させ、タンブラプレート１１の前記係合部１３を可変タンブラ１４の前記被係合部１５から離脱させるバネ２５とからなるサイドバー方式の可変コード型シリンダ錠。
【請求項２】
ハウジング１の内周面に可変タンブラ係入用凹部３，４を形成し、可変タンブラ１４の一方の端部に錠止突起１６を形成してあり、サイドバー２２の先端部２３がハウジング１のサイドバー係入用凹部５に係入する一方、サイドバー２２の基端部がタンブラプレート１１の側面端部２６に当接しているとき、前記錠止突起１６が前記可変タンブラ係入用凹部３に係合していることを特徴とする請求項１に記載の可変コード型シリンダ錠。
【発明の詳細な説明】
【０００１】
【発明の属する技術分野】本発明は、キーコードを変更することができるサイドバー方式の可変コード型シリンダー錠に関するものである。
【０００２】
【従来の技術】特定のキーコードを割り当てられた個別キーが盗難にあったり、紛失してしまったとき、あるいはキーコードを知っている従業員が退職したときには、個別キーを盗んだ者や個別キーを拾得した者、あるいはキーコードに基づいて複製した個別キーを有する者によってシリンダー錠が不正に解錠されてしまい、室内に侵入されたり、管理された機器類にアクセスされる危険性がある。この危険性を除去するには、シリンダー錠を別のキーコードが割り当てられている新しいものと取り替える必要がある。
【０００３】
しかしながら、機器や扉に装着されているシリンダー錠を取り替えることは非常に作業が煩雑であり、また、無駄な費用がかかるので望ましくない。この問題を解決するために、キーコードを変更できるサイドバー方式の可変コード型シリンダー錠が従来から知られている（例えば、特許文献１参照）。
【０００４】
このシリンダ錠は、筒形に形成され、内周面にサイドバー係入用凹部とレトラクタ係入用凹部が形成されたハウジングと、
前記ハウジングに回転可能に挿入され、前面に鍵孔とリセットキー挿入孔が形成され、該鍵孔と交叉するタンブラ挿入孔の一側にサイドバー収容孔が形成され、他側にレトラクタ収容孔が形成されたロータと、
前記タンブラ挿入孔に摺動可能に挿入され、一方の側面にサイドバー係合凹部が形成され、他方の側面に鋸歯状の係合部が形成されたタンブラプレートと、
前記タンブラ挿入孔に遊嵌され、一方の面に前記係合部と係脱する鋸歯状の被係合部が形成され、前記鍵孔に連通する鍵挿通溝が形成された可変タンブラと、
前記レトラクタ収容孔び挿入され、前記可変タンブラをタンブラ挿入孔に平行に摺動案内する案内部とリセットキー挿通孔が形成され、一端が前記鍵挿通溝に挿入されるキーに係合し、他端には前記レトラクタ係入用凹部に係合可能な係合突起が形成されたレトラクタと、
前記サイドバー収容孔に挿入され、先端が前記サイドバー係入用凹部に係入する方向に付勢され、付勢反対方向に移動したときに後端が前記サイドバー係合凹部に係入するサイドバーと、
前記リセットキー挿入孔及びリセットキー挿通孔に挿入して回動操作されたときに、前記レトラクタの係合突起を前記レトラクタ係入用凹部に係入する方向に押動するリセットキーとから成るものである。
【０００５】
このように構成される従来の可変コード型シリンダ錠では、ロータの前面に通常の鍵孔の他にレトラクタを駆動するためのリセットキー挿入孔を形成しているため、外観体裁的に違和感があるだけでなく、このリセットキー挿入孔が弄くりの対象となり、不心得者などによって異物などを詰められたりして、キーコードの変更操作に支障を来たすことがある。また、キーコードの変更操作時には，互いに近接したリセットキーと個別キーがロータに挿入されるため、互いその存在が操作の邪魔となり、作業性が良くない。
また、内部構造が複雑で部品点数が多いため、製作が安価に行えない難点がある。
【０００６】
【特許文献１】
平成７年特許出願公開第１９７７０５号公報
【０００７】
【発明が解決しようとする課題】本発明の課題は、ロータの前面には通常の鍵孔しか開口していないため、外観体裁が良く、弄くりに対して強いとともに、キーコードの変更操作が容易であり、また、従来の可変コード型シリンダ錠におけるようなリセットキーやレトラクタといった付加部品を必要とせず、内部機構が簡略化されているため、製作が安価に行えるサイドバー方式の可変コード型シリンダ錠を提供することである。
別の課題は、ハウジングに対するロータの回転拘束が２箇所で強固になされるサイドバー方式の可変コード型シリンダ錠を提供することである。
【０００８】
【課題を解決するための手段】添付図面中の参照符号を用いて説明すると、請求項１の発明に係るサイドバー方式の可変コード型シリンダ錠は、筒形に形成され、内周面にサイドバーホルダ係入用凹部２とサイドバー係入用凹部５が形成されたハウジング１と、
前記ハウジング１に回転可能に挿入され、前面に開口する鍵孔７が軸方向に形成され、鍵孔７と交叉するタンブラ挿入孔８の一側にサイドバーホルダ収容孔９が形成され、他側にバネ収容孔１０が形成されたロータ６と、
前記タンブラ挿入孔８に摺動可能に挿入され、一方の側面にサイドバー係合凹部１２が形成され、他方の側面に係合部１３が形成されたタンブラプレート１１と、
前記タンブラ挿入孔８に摺動可能に挿入され、一方の面に前記係合部１３と係脱する鋸歯状の被係合部１５が形成され、中央部分に前記鍵孔７に連通させて鍵挿通溝１７が形成された可変タンブラ１４と、
前記バネ収容孔１０に収容され、可変タンブラ１４をハウジング１の内周面に向けて摺動付勢するバネ１８と、
前記サイドバーホルダ収容孔９に摺動可能に挿入され、中央部分にサイドバー収容孔２０が形成され、ロータ６を回転させたとき、一方の面に形成した隆起部
２１が前記サイドバーホルダ係入用凹部２に係入するサイドバーホルダ１９と、
前記サイドバー収容孔２０に摺動可能に挿入され、先端部２３が前記サイドバー係入用凹部５に係入する方向に付勢され、ロータ６を回転させたとき、前記付勢とは反対方向に移動して基端部２４が前記サイドバー係合凹部１２に係入するサイドバー２２と、
タンブラプレート１１をサイドバーホルダ１９に向けて付勢し、ロータ６の回転によって前記隆起部２１が前記サイドバーホルダ係入用凹部２に対面したとき、タンブラプレート１１の側面端部２６を前記サイドバーホルダ収容孔９に進入させて、該隆起部２１をサイドバーホルダ係入用凹部２に係入させ、タンブラプレート１１の前記係合部１３を可変タンブラ１４の前記被係合部１５から離脱させるバネ２５とからなるものである。
【０００９】
請求項２の発明に係るサイドバー方式の可変コード型シリンダ錠は、請求項１の発明の前記構成に加えて、ハウジング１の内周面に可変タンブラ係入用凹部３，４を形成し、可変タンブラ１４の一方の端部に錠止突起１６を形成してあり、サイドバー２２の先端部２３がハウジング１のサイドバー係入用凹部５に係入する一方、サイドバー２２の基端部がタンブラプレート１１の側面端部２６に当接しているとき、可変タンブラ１４の前記錠止突起１６がハウジング１の前記可変タンブラ係入用凹部３に係合している。
【００１０】
【発明の作用】図５に示したように施錠状態においては、可変タンブラ１４の錠止突起１６はハウジング１の可変タンブラ係入用凹部３に係入しており、バネ１８の付勢によってその位置に保持されている。また、サイドバーホルダ１９はロータ６のサイドバーホルダ収容孔９内にあり、サイドバー２２の先端部２３はハウジング１のサイドバー係入用凹部５に係入しており、後端部２４がタンブラプレート１１の側面端部２６に当接していることによって、その位置に保持されている。タンブラプレート１１は可変タンブラ１４に最も接近した位置にあり、タンブラプレート１１の係合部１３は可変タンブラ１４の鋸歯状被係合部１５に係合している。
【００１１】
ハウジング１に対するロータ６の回転拘束を解除してロータ６を解錠方向に回転操作するためには、現在のキーコードに対応した個別キーＫをロータ６の鍵孔７に挿入する。
この個別キーＫの挿入時に、個別キーＫの側面エッジ部に加工形成されているキーコード部（いわゆる鍵山部）によって、可変タンブラ１４の鍵挿通溝１７の内端面が押されるため、可変タンブラ１４とタンブラプレート１１は一体的に摺動させられ、可変タンブラ１４の錠止突起１６がハウジング１の可変タンブラ係入用凹部３から脱出する。
【００１２】
この段階では、タンブラプレート１１のサイドバー係合凹部１２は、サイドバー２２の後端部２４と対面する位置に移動している。そこで、個別キーＫによってロータ６を図７において反時計回り方向に回すと、回転当初においてサイドバー２２は、先端部２３のカム斜面部ないしサイドバー係入用凹部５のカム斜面部の作用によってサイドバー係入用凹部５から押し出され、サイドバー２２の後端部２４がタンブラプレート１１のサイドバー係合凹部１２に入り込む。
ロータ６の回転操作は、サイドバーホルダ１９がハウジング１のサイドバーホルダ係入用凹部２に対面するキーチェンジ位置の直前位置までなされ、ロータ６は解錠位置に到達する。
【００１３】
個別キーＫの盗難等によってシリンダ錠のキーコードを変更したいときには、チェンジキーＣＫをロータ６の鍵孔７に挿入する。
このチェンジキーＣＫの挿入時にチェンジキーＣＫのキーコード部によって、可変タンブラ１４の鍵挿通溝１７の内端面が押されるため、可変タンブラ１４とタンブラプレート１１は一体的に摺動させられ、可変タンブラ１４の錠止突起１６がハウジング１の可変タンブラ係入用凹部３から脱出する。
【００１４】
この段階では、タンブラプレート１１のサイドバー係合凹部１２は、サイドバー２２の後端部２４と対面する位置に移動している。そこで、チェンジキーＣＫによってロータ６を図５において反時計回り方向に回すと、回転当初においてサイドバー２２は、先端部２３のカム斜面部ないしサイドバー係入用凹部５のカム斜面部の作用によってサイドバー係入用凹部５から押し出され、サイドバー２２の後端部２４がタンブラプレート１１のサイドバー係合凹部１２に入り込む。
このロータ６の回転操作は、サイドバーホルダ１９がハウジング１のサイドバーホルダ係入用凹部２に対面するキーチェンジ位置までなされる。
【００１５】
このキーチェンジ位置に到達すると、バネ２５の付勢によってタンブラプレート１１の側面端部２６がロータ６のサイドバーホルダ収容孔９に進入させられ、該側面端部２６に押動されたサイドバーホルダ１９は、その隆起部２１をサイドバーホルダ係入用凹部２に係入させる。これによってタンブラプレート１１は可変タンブラ１４から大きく離反し、タンブラプレート１１の係合部１３が可変タンブラ１４の鋸歯状被係合部１５から離脱する。
【００１６】
この後、チェンジキーＣＫをロータ６のタンブラ挿入孔８の長さ方向、すなわちロータ６の横断方向に進退させることによって、可変タンブラ１４を押動する。このとき、タンブラプレート１１は側面端部２６がロータ６のサイドバーホルダ収容孔９に係合しているため固定位置にあり、この固定されたタンブラプレート１１に対して可変タンブラ１４が移動したため、キーコードが変更されたことになる。
【００１７】
この後、鍵孔７からチェンジキーＣＫを抜き取り、変更後のキーコードを有する別の個別キーＫを挿入して逆回転させると、隆起部２１の側面がサイドバーホルダ係入用凹部２のエッジ部に押されて、隆起部２１がロータ６のサイドバーホルダ収容孔９内に押し戻されるため，タンブラプレート１１の側面端部２６が該サイドバーホルダ収容孔９から押し出され、タンブラプレート１１が可変タンブラ１４に接近して、タンブラプレート１１の係合部１３が可変タンブラ１４の鋸歯状被係合部１５に係合する。この係合部１３と被係合部１５の係合位置は、前記可変タンブラ１４の押動操作のために変更されている。
【００１８】
【発明の実施の形態】図示の実施例では、図５および図１５に示したように可変タンブラ１４の他方の側面にはバネ受部２７が突設されており、圧縮コイルバネよりなる可変タンブラ付勢用バネ１８は、バネ収容孔１０の底部と該バネ受部２７との間で圧縮されている。図１７に示したようにタンブラプレート１１の前記他方の側面には、係合部１３が両端部に一個ずつ形成されており、図１８に示したように該側面中央部にバネ支持部２８が背面側にピン状に突設されている。
【００１９】
図１９に示したようにタンブラプレート付勢用バネ２５は捻りコイルバネで構成されており、中央部分のコイル部２５ａは前記バネ支持部２８に嵌合されており、二つの直線部分２５ｂ，２５ｃの先端環状曲げ部２５ｄ，２５ｅは、図５に示したように可変タンブラ１４の前記一方の側面を当接している。二つの環状曲げ部２５ｄ，２５ｅの中心を通る直線とコイル部２５ａの中心間の距離は、タンブラプレート１１が可変タンブラ１４に接離するのに対応して変動する。
タンブラプレート付勢用バネ２５と前記バネ支持部２８は、図９、図１１、図１２に示したようにタンブラ挿入孔８の一側半部の内壁面に形成された逃げ溝２９に収容されている。
【００２０】
図８、図１０に示したように鍵孔７は、ロータ６の中心から一側にずらせて形成されている。図１３に示したようにサイドバーホルダ１９の前記隆起部２１は、低い山形形状に形成されている。図１４に示したようにサイドバー２２は横断面が略六角形状に形成されており、先端部２３と後端部２４は山形形状に形成されている。図１６に示したように可変タンブラ１４の前記バネ受部２７の背面にはガイド突起３０が突設されており、可変タンブラ１４がロータ６の横断方向に摺動するとき、ガイド突起２９はバネ収容孔１０内を移動する。
ロータ６の後端部には常法に従って回転角度制御板と止め金板が固着される。
【００２１】
【発明の効果】請求項１の発明に係るサイドバー方式の可変コード型シリンダー錠では、キーコードの変更に当たっては、新しい個別キーＫをロータ６の鍵孔７に挿入してロータ６を回転させ、サイドバーホルダ１９の隆起部２１がハウジング１のサイドバーホルダ係入用凹部２に対面したとき、タンブラプレート１１の側面端部２６をバネ２５の付勢によってロータ６のサイドバーホルダ収容孔９に進入させ、これによって隆起部２１をサイドバーホルダ係入用凹部２に係入させて、タンブラプレート１１の係合部１３を可変タンブラ１４の鋸歯状被係合部１５から離脱させ、この離脱後に可変タンブラ１４を所要単位移動させて、最後に係合部１３と可変タンブラ１４の被係合部１５を再係合させるだけでよいので、キーコードの変更操作が容易に行えるとともに、前記した従来の可変コード型シリンダ錠のようにリセットキーやレトラクタといった余分な部品が必要なく、内部機構が簡略化されているため、製作が安価に行える。
ロータ６の前面には通常の鍵孔７しか開口していないため、外観体裁が良く、弄くりに対して強いものとなる。
【００２２】
請求項２の発明に係るサイドバー方式の可変コード型シリンダ錠では、タンブラプレート１１と可変タンブラ１４を、その係合部１３を被係合部１５に互いに係合させた状態でロータ６のタンブラ挿入孔８に挿入し、可変タンブラ１４の錠止突起１６をハウジング１の可変タンブラ係入用凹部３に係合させるとともに、サイドバーホルダ１９をロータ６のサイドバーホルダ収容孔９に挿入し、サイドバーホルダ１９のサイドバー収容孔２０に挿入したサイドバー２２の先端部２３をハウジング１のサイドバー係入用凹部５に係合させ、サイドバー２２の基端部２４をタンブラプレート１１の側面端部２６に当接させたので、ハウジング１に対するロータ６の回転拘束が錠止突起１６とサイドバー２２の２箇所で行われることになり、錠止機能が一段と強化される。
【図面の簡単な説明】
【図１】本発明の一実施例に係るサイドバー方式の可変コード型シリンダ錠の正面図である。
【図２】図１のシリンダ錠の左側面図である。
【図３】図１のシリンダ錠に使用されるキーの右側面図である。
【図４】図１のＡ−Ａ線断面図である。
【図５】図２のＢ−Ｂ線断面図である。
【図６】図１のシリンダ錠に使用したハウジングの正面図である。
【図７】図６のＣ−Ｃ線断面図である。
【図８】図１のシリンダ錠に使用したロータの正面図である。
【図９】図８のロータの平面図である。
【図１０】図８のＤ−Ｄ線断面図である。
【図１１】図８のＥ−Ｅ線断面図である。
【図１２】図１１のＦ−Ｆ線断面図である。
【図１３】図１のシリンダ錠に使用したサイドバーホルダの正面図である。
【図１４】図１のシリンダ錠に使用したサイドバーの右側面図である。
【図１５】図１のシリンダ錠に使用した可変タンブラの拡大正面図である。
【図１６】図１５の可変タンブラの左側面図である。
【図１７】図１のシリンダ錠に使用したタンブラプレートの拡大正面図である。
【図１８】図１７のタンブラプレートの右側面図である。
【図１９】図１のシリンダ錠に使用したタンブラプレート付勢用バネの拡大正面図である。
【符号の説明】
１　ハウジング
２　サイドバーホルダ係入用凹部
３　可変タンブラ係入用凹部
４　可変タンブラ係入用凹部
５　サイドバー係入用凹部
６　ロータ
７　鍵孔
８　タンブラ挿入孔
９　サイドバーホルダ収容孔
１０　バネ収容孔
１１　タンブラプレート
１２　サイドバー係合凹部
１３　係合部
１４　可変タンブラ
１５　鋸歯状被係合部
１６　錠止突起
１７　鍵挿通溝
１８　可変タンブラ付勢用バネ
１９　サイドバーホルダ
２０　サイドバー収容孔
２１　隆起部
２２　サイドバー
２３　サイドバーの先端部
２４　サイドバーの基端部
２５　タンブラプレート付勢用バネ
２６　タンブラプレートの側面端部
２７　可変タンブラのバネ受部
２８　タンブラプレートのバネ支持部
Ｋ　個別キー
ＣＫ　チェンジキー
【図１】
2004137689.tif 000003
【図２】
2004137689.tif 000004
【図３】
2004137689.tif 000005
【図４】
2004137689.tif 000006
【図５】
2004137689.tif 000007
【図６】
2004137689.tif 000008
【図７】
2004137689.tif 000009
【図８】
2004137689.tif 000010
【図９】
2004137689.tif 000011
【図１０】
2004137689.tif 000012
【図１１】
2004137689.tif 000013
【図１２】
2004137689.tif 000014
【図１３】
2004137689.tif 000015
【図１４】
2004137689.tif 000016
【図１５】
2004137689.tif 000017
【図１６】
2004137689.tif 000018
【図１７】
2004137689.tif 000019
【図１８】
2004137689.tif 000020
【図１９】
2004137689.tif 000021